(57)【要約】【課題】正規画像に対し、表示位置を反転加工することで、秘匿に用いる画像を簡単な処理で得ることができる表示秘匿システムを提供する。【解決手段】本開示における表示秘匿システムは、画像を表示する表示部と、表示部に表示すべき画像を生成する画像生成部と、表示部に表示される画像を透過または遮断する光学素子と、を備える表示秘匿システムであって、画像生成部は、正規画像と秘匿用画像とを生成し、正規画像と秘匿用画像とが合成されるように表示部へ正規画像および秘匿用画像の画像データを送信し、光学素子は、正規画像を透過し、秘匿用画像を遮断し、秘匿用画像は、正規画像を少なくとも水平方向または垂直方向に所定の画素数に区切られた反転区間において画素の並びを反転させた画像である。【選択図】図１
2015187700.tif 000002
【特許請求の範囲】
【請求項１】
画像を表示する表示部と、
前記表示部に表示すべき画像を生成する画像生成部と、
前記表示部に表示される画像を透過または遮断する光学素子と、を備える表示秘匿システムであって、
前記画像生成部は、
正規画像と秘匿用画像とを生成し、
前記正規画像と前記秘匿用画像とが合成されるように前記表示部へ前記正規画像および前記秘匿用画像の画像データを送信し、
前記光学素子は、前記正規画像を透過し、前記秘匿用画像を遮断し、
前記秘匿用画像は、前記正規画像を少なくとも水平方向または垂直方向に所定の画素数に区切られた反転区間において画素の並びを反転させた画像である、
表示秘匿システム。
【請求項２】
前記画像生成部は、前記正規画像と前記秘匿用画像とが時間的に合成されるように前記表示部へ前記画像データを送信する、
請求項１記載の表示秘匿システム。
【請求項３】
前記画像生成部はさらに、第２の秘匿用画像を生成し、
前記第２の秘匿用画像は、前記秘匿用画像の表示位置を水平方向または垂直方向に所定の画像数ずらした画像であり、前記正規画像と前記秘匿用画像と前記第２の秘匿用画像とが合成されるように前記表示部へ前記正規画像と前記秘匿用画像と前記第２の秘匿用画像の画像データを送信し、
前記光学素子は、前記正規画像を透過し、前記秘匿用画像および前記第２の秘匿用画像を遮断する、
請求項１記載の表示秘匿システム。
【請求項４】
前記画像生成部は、
前記正規画像に含まれる文字が縦書きであるか横書きであるかを検出し、
横書きである場合は、前記正規画像を水平方向に所定の画素数に区切られた反転区間において画素の並びを反転させた画像を前記秘匿用画像とし、
縦書きである場合は、前記正規画像を垂直方向に所定の画素数に区切られた反転区間において画素の並びを反転させた画像を前記秘匿用画像とする、
請求項１記載の表示秘匿システム。
【請求項５】
前記秘匿用画像は、複数の反転区間ごとに画像を入れ替えた画像である、
請求項１記載の表示秘匿システム。
【請求項６】
前記画像生成部は、
前記正規画像のエッジ部を検出し、
前記エッジ部の分布に基づいて、前記正規画像に含まれる文字のサイズを推定し、
前記文字のサイズに応じて前記反転区間の画素数を変更して前記秘匿用画像を生成する、
請求項１記載の表示秘匿システム。
【請求項７】
前記画像生成部は、
特定の周波数成分を有する模様を含むパターン画像をさらに生成し、
前記正規画像と前記秘匿用画像と前記パターン画像とが時間的に合成されるように、前記表示部へ前記正規画像、前記秘匿用画像および前記パターン画像の画像データを送信する、
請求項２記載の表示秘匿システム。
【請求項８】
前記画像生成部は、
前記正規画像のエッジ部を検出し、
前記エッジ部の分布に基づいて、前記正規画像に含まれる文字を有する領域の周波数に応じて前記模様の周波数成分を変更して前記パターン画像を生成する、
請求項７記載の表示秘匿システム。
【請求項９】
前記画像生成部は、前記正規画像と前記秘匿用画像とが空間的に合成されるように前記表示部へ前記画像データを送信する、
請求項１記載の表示秘匿システム。
【発明の詳細な説明】
【技術分野】
【０００１】
本開示は、使用者にとって有用な画像を他者から秘匿する表示秘匿システムに関する。
【背景技術】
【０００２】
特許文献１には、特定使用者のみが所望の画像を見ることができると同時に、他者は見ることができない可搬型の情報処理装置が開示されている。この情報処理装置は、画素電極と第１の駆動素子の出力部にメモリ機能を有するメモリ素子と、その出力を表示パネルの全ての画素において同時に各画素電極に表示信号を書き込む第２の駆動素子を具備させることにより、瞬時切替型の表示パネルを実現できる。
【先行技術文献】
【特許文献】
【０００３】
【特許文献１】特開平０６−１１０４０３号公報
【発明の概要】
【発明が解決しようとする課題】
【０００４】
本開示は、正規画像に対し、表示位置を反転加工することで、秘匿に用いる画像を簡単な処理で得ることができる表示秘匿システムを提供する。
【課題を解決するための手段】
【０００５】
本開示における表示秘匿システムは、画像を表示する表示部と、表示部に表示すべき画像を生成する画像生成部と、表示部に表示される画像を透過または遮断する光学素子と、を備える表示秘匿システムであって、画像生成部は、正規画像と秘匿用画像とを生成し、正規画像と秘匿用画像とが合成されるように表示部へ正規画像および秘匿用画像の画像データを送信し、光学素子は、正規画像を透過し、秘匿用画像を遮断し、秘匿用画像は、正規画像を少なくとも水平方向または垂直方向に所定の画素数に区切られた反転区間において画素の並びを反転させた画像である。
【発明の効果】
【０００６】
本開示における表示秘匿システムは、正規画像に対し、表示位置を反転加工することで、秘匿に用いる画像を簡単な処理で得ることができる。
【図面の簡単な説明】
【０００７】
【図１】図１は、実施の形態１における表示秘匿システムの構成図である。
【図２】図２は、実施の形態１におけるパソコンとモニタの動作関係を示す模式図である。
【図３Ａ】図３Ａは、実施の形態１におけるモニタに表示される画像とメガネの状態変化を時系列に説明する模式図である。
【図３Ｂ】図３Ｂは、実施の形態１におけるメガネを装着する使用者の視認する画像の一例を示す図である。
【図３Ｃ】図３Ｃは、実施の形態１におけるメガネを装着しない他者の視認する画像の一例を示す図である。
【図４Ａ】図４Ａは、秘匿用画像の生成例１における正規画像から秘匿用画像の生成を説明する図である。
【図４Ｂ】図４Ｂは、秘匿用画像の生成例１における生成された秘匿用画像を説明する図である。
【図４Ｃ】図４Ｃは、秘匿用画像の生成例１における合成画像を示す図である。
【図５】図５は、秘匿用画像の生成例２を説明する図である。
【図６】図６は、秘匿用画像の生成例３を説明する図である。
【図７】図７は、秘匿用画像の生成例４を説明する図である。
【図８】図８は、秘匿用画像の生成例５を説明する図である。
【図９】図９は、秘匿用画像の生成例６における正規画像に含まれる文字サイズの検出を説明する図である。
【図１０】図１０は、秘匿用画像の生成例６における正規画像の文字サイズと反転区間を説明する図である。
【図１１】図１１は、秘匿用画像の生成例７を説明する図である。
【図１２Ａ】図１２Ａは、実施の形態２におけるモニタに表示される画像とメガネの動作について説明する模式図である。
【図１２Ｂ】図１２Ｂは、実施の形態２におけるメガネを装着する使用者の視認する画像の一例を示す図である。
【図１２Ｃ】図１２Ｃは、実施の形態２におけるメガネを装着しない他者の視認する画像の一例を示す図である。
【図１３】図１３は、パターン画像の生成例を説明する模式図である。
【図１４】図１４は、実施の形態１における表示秘匿システムの構成図である。
【図１５】図１５は、実施の形態３におけるパソコンとモニタの動作関係を示す模式図である。
【図１６】図１６は、実施の形態３におけるメガネを装着する使用者が視認する画像の一例とメガネを装着しない他者が視認する画像の一例を示す図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態１）
以下、図１〜１１を用いて、実施の形態１を説明する。
【００１１】
［１−１．構成］
図１は、実施の形態１における表示秘匿システムの構成図である。
【００１２】
表示秘匿システム１０は、パーソナルコンピュータ（以下、パソコン）１１、モニタ１２とメガネ１３で構成される。パソコン１１は、モニタ１２へ、画像を表示する。メガネ１３を装着する使用者は、メガネ１３を通してモニタ１２に表示された画像を視認する。メガネ１３を装着しない他者は、メガネ１３を通さずに直接、モニタ１２に表示された画像を視認する。
【００１３】
メガネ１３は、光学素子を有している。パソコン１１は、無線通信や赤外線通信によりメガネ１３を制御する。メガネ１３は、画像を透過する透過状態と、画像を遮断する遮断状態との２つの状態を有し、パソコン１１により制御される。具体的には、光学素子として液晶シャッタを用いることにより、メガネ１３において２つの状態を実現できる。表示秘匿システム１０において、パソコン１１は画像生成部、モニタ１２は表示部およびメガネ１３は光学素子に相当する。
【００１４】
パソコン１１とモニタ１２との動作について図２を用いて説明する。図２は、本実施の形態におけるパソコンとモニタの動作関係を示す模式図である。
【００１５】
パソコン１１ではＯＳ（Ｏｐｅｒａｔｉｏｎ  Ｓｙｓｔｅｍ）が稼働しており、ＯＳレイヤとして、アプリケーション２１、ミドル２２およびドライバ２３で構成されている。アプリケーション２１は、表示秘匿システム１０で使用するソフトウエアの機能を提供する。ミドル２２は、アプリケーション２１が必要とする画像処理などをバックグラウンドで処理する。ドライバ２３は、ミドル２２が処理した内容をパソコン１１の図示しないハードウェアへ送る。
【００１６】
Ｉ／Ｆ（インターフェース）回路２４は、ドライバ２３が出力したデータをモニタ１２に送信し、そのデータはモニタ１２のＩ／Ｆ回路２５が受信する。Ｉ／Ｆ回路２４とＩ／Ｆ回路２５との間のデータ授受には、映像・音声をデジタル信号で伝送する通信インターフェースであるＨＤＭＩ（登録商標）（Ｈｉｇｈ−ｄｅｆｉｎｉｔｉｏｎ  Ｍｕｌｔｉｍｅｄｉａ  Ｉｎｔｅｒｆａｃｅ）やコンピュータとディスプレイを接続するためのインターフェースであるＤＶＩ（Ｄｉｇｉｔａｌ  Ｖｉｓｕａｌ  Ｉｎｔｅｒｆａｃｅ）などのデジタル伝送規格が用いられる。
【００１７】
モニタ１２では、Ｉ／Ｆ回路２５が受信したデータは、パネルドライバ２６に送信され、表示動作を行うように、垂直方向の走査信号と水平方向の走査信号とに分離される。走査信号に基づいて液晶パネル２７が駆動されることにより、液晶パネル２７にパソコン１１からの画像が表示される。
【００１８】
［１−２．動作］
以上のように構成された表示秘匿システム１０について、その動作を以下に説明する。図３Ａは、モニタ１２に表示される画像とメガネ１３の状態変化を時系列に説明する模式図である。図３Ｂは、メガネを装着する使用者の視認する画像の一例を示す図であり、図３Ｃは、メガネを装着しない他者の視認する画像の一例を示す図である。
【００１９】
モニタ１２には、本来表示したい画像である正規画像３１と正規画像を秘匿するための秘匿用画像３２とが、時間経過とともに交互に表示される。具体的には、モニタ１２が１２０Ｈｚで駆動する液晶パネル２７を有する場合、パソコン１１は、正規画像３１と秘匿用画像３２を１２０Ｈｚの間隔で切り替わるように、モニタ１２へ画像データを送信する。同様に、パソコン１１は、メガネ１３も１２０Ｈｚで透過状態と遮断状態の２つの状態に切り替わるように、メガネ１３へ制御信号を送信する。パソコン１１は、モニタ１２に正規画像３１が表示されるときに、メガネ１３は透過状態となるように、かつ、モニタ１２に秘匿用画像３２が表示されるときに、メガネ１３は遮断状態となるように、モニタ１２およびメガネ１３を制御する。
【００２０】
メガネ１３を装着する使用者は、メガネ１３が透過状態のとき、メガネ１３を通して正規画像３１を視認する。そして、メガネ１３が遮断状態のとき、秘匿用画像３２は、メガネ１３により遮断され、使用者に視認されない。図３Ｂに示すように、メガネ１３を装着する使用者は、モニタ１２に表示される２種類の画像のうち、正規画像３１のみ視認できる。
【００２１】
一方、メガネ１３を装着しない他者は、メガネ１３により遮断されないので、正規画像３１と秘匿用画像３２の両方を視認する。正規画像３１と秘匿用画像３２は、１２０Ｈｚで切り替わっているので、図３Ｃに示すように、メガネ１３を装着しない他者は、残像効果により正規画像３１と秘匿用画像３２が時間的に合成された合成画像３３を視認する。合成画像３３は、正規画像３１の内容が判別できないので、メガネ１３を装着する使用者のみが正規画像３１を視認し、メガネを装着しない他者には、正規画像３１の内容が分からない状態を実現できる。
【００２２】
ここで、アプリケーション２１ごとに画像を秘匿する場合は、アプリケーション２１が秘匿用画像３２を生成する。複数のアプリケーションにおいて同じように画像を秘匿する場合は、各アプリケーション間で正規画像３１を同期させる必要があるため、ミドル２２で生成する方が望ましい。また、常に画像を秘匿する場合は、ドライバ２３で生成すると、アプリケーション２１やミドル２２での処理負荷を減らすことができる。
【００２３】
［１−３．秘匿用画像の生成例］
秘匿用画像の生成例について、図４Ａ〜図１１を用いて説明する。
【００２４】
［１−３−１．生成例１］
生成例１について、図４Ａ、図４Ｂ、図４Ｃを用いて説明する。図４Ａは、秘匿用画像の生成例１における正規画像から秘匿用画像の生成を説明する図であり、図４Ｂは、秘匿用画像の生成例１における生成された秘匿用画像を説明する図であり、図４Ｃは、秘匿用画像の生成例１における合成画像を示す図である。
【００２５】
図４Ａにおける正規画像４１は、文字情報を含んでいる。正規画像４１を水平方向に所定の画素数の反転区間で区切る。図４Ａにおいては、１つの反転区間は５画素である。それぞれの反転区間において左から１、２、３、４、５と並んでいる画素を左右反転し、図４Ｂに示すように、左から５、４、３、２、１の順に並び替えることで秘匿用画像４２を生成する。
【００２６】
秘匿用画像４２を正規画像４１と時間的に合成すると、残像効果により、図４Ｃに示す、合成画像４３になり、正規画像４１の内容は非常に判別しにくくなる。
【００２７】
［１−３−２．生成例２］
生成例１では、秘匿用画像は、表示位置を正規画像に対して同じ位置であるものとして説明した。生成例２では、生成例１で生成した秘匿用画像の表示位置を正規画像の表示位置に対して時間に応じて水平方向に変化させ、秘匿性を向上させる例である。図５は、秘匿用画像の生成例２を説明する図である。
【００２８】
図５において、正規画像４１に対して、生成例１で生成した秘匿用画像４２に加えて、秘匿用第１画像５１と秘匿用第２画像５２を生成する。秘匿用第１画像５１は、秘匿用画像４２を水平方向に所定の画素数、右へ移動した画像として生成する。秘匿用第２画像５２は、秘匿用画像４２を水平方向に所定の画素数、左へ移動した画像となっている。パソコン１１は、これらの画像を、例えば、正規画像４１、秘匿用画像４２、正規画像４１、秘匿用第１画像５１、正規画像４１、秘匿用画像４２、正規画像４１、秘匿用第２画像５２の順に切り替わるように、モニタ１２へ画像データを送信する。
【００２９】
秘匿用画像の表示位置が、正規画像の表示位置に対して時間に応じて変化することにより、正規画像が文字情報だけでなく、例えば、静止画の場合であっても、合成画像の視認が難しくなり、秘匿性が向上する。
【００３０】
［１−３−３．生成例３］
生成例１、生成例２では、横書きの文字情報について説明した。生成例３では、例えば、日本語のように、文字が縦書きである場合の例を説明する。図６は、秘匿用画像の生成例３を説明する図である。図６において、正規画像６１は、縦書きの文字情報を含んでいる。
【００３１】
正規画像６１を垂直方向に所定の画素数の反転区間で区切る。それぞれの反転区間において画素を上下反転し、画素の順番を並び替えることで秘匿用画像６２を生成する。秘匿用画像６２を正規画像６１と時間的に合成すると、残像効果により合成画像６３になり、正規画像６１の内容は非常に判別しにくくなる。
【００３２】
以上のように、文字が連続する方向を検出し、反転区間の方向を決定すれば、文章が特定のエリアで横書きまたは縦書きとなっている場合であっても、秘匿性を向上させることができる。
【００３３】
［１−３−４．生成例４］
生成例２では、秘匿用画像の表示位置を水平方向に変化させる例を説明した。図７は、秘匿用画像の生成例４を説明する図である。生成例４では、生成例１で生成した秘匿用画像を複数の反転区間ごとに入れ替える例である。
【００３４】
図７において、秘匿用画像４２を生成した反転区間をアルファベット順にａ〜ｐとする。反転区間ａ〜ｄを１群、反転区間ｅ〜ｈを２群、反転区間ｉ〜ｌを３群、反転区間ｍ〜ｐを４群としたとき、秘匿用第３画像７１を、秘匿用画像４２に対して、１群と２群、３群と４群を入れ替えて生成する。反転区間の入れ替えはこれに限らず、１群と４群、２群と３群を入れ替えてもよいし、群の単位で入れ替えずにランダムに入れ替えてもよい。
【００３５】
パソコン１１は、生成された秘匿用画像を、１２０Ｈｚ単位で別の秘匿用画像に変更してもよく、１秒ごとに１回などの単位で変更してもよい。これにより、処理量を大幅に増大させることなく、秘匿性を向上させることができる。
【００３６】
［１−３−５．生成例５］
生成例１では、正規画像４１を水平方向の反転区間で区切り、各反転区間で左右反転にした秘匿用画像４２を生成する例を説明した。生成例５では、秘匿用画像４２に加えて、正規画像を垂直方向の反転区間で区切って秘匿用画像を生成する例について説明する。図８は、秘匿用画像の生成例５を説明する図である。
【００３７】
図８において、正規画像４１を垂直方向に所定の画素数の反転区間で区切る。それぞれの反転区間において画素を上下反転し、画素の順番を並び替えて秘匿用第４画像８１を生成する。パソコン１１は、これらの画像を、例えば、正規画像４１、秘匿用画像４２、正規画像４１、秘匿用第４画像８１の順に切り替わるように、モニタ１２へ画像データを送信する。これにより、秘匿用画像４２と秘匿用第４画像８１と正規画像４１を時間的に合成すると、残像効果が生成例１よりもさらに増加し、秘匿性を向上させることができる。
【００３８】
［１−３−６．生成例６］
生成例６では、正規画像に含まれる文字のサイズに応じて、反転区間の画素数を決定し、秘匿用画像を生成する例について説明する。図９は、秘匿用画像の生成例６における正規画像に含まれる文字サイズの検出を説明する図である。
【００３９】
正規画像に含まれる文字のサイズを決定する方法について説明する。一般的に、文字は背景と一定の明度の差があり、隣り合った画素の明度が所定の閾値以上となる箇所を算出することにより、画像中のエッジ部を検出できる。生成例６では、このエッジ部を文字の部分とみなす。図９において、正規画像４１の一部を拡大した箇所のように、文字「ＡＢＣ」のエッジ部９１を検出する。検出したエッジ部９１を用いて、正規画像４１中における水平方向または垂直方向の画素の明度の分布を検出する。図９において、垂直方向のａ領域およびｂ領域にエッジ部９１が多く分布していることが分かるので、ａ領域およびｂ領域の文字の方向および幅から、文字サイズを決定する。
【００４０】
図１０は、秘匿用画像の生成例６における正規画像の文字サイズと反転区間を説明する図である。
【００４１】
図１０において、正規画像１０１に含まれる最大文字サイズの０．２５倍に相当する画素数を反転区間として水平方向に反転した秘匿用画像を正規画像１０１と合成した合成画像１０２と、正規画像１０１に含まれる最大文字サイズに相当する画素数を反転区間として水平方向に反転した秘匿用画像を正規画像１０１と合成した合成画像１０３を示している。図１０に示すように、秘匿性が高いのは合成画像１０３である。従って、反転区間は細かければ良い、というわけではないことが分かる。
【００４２】
最大文字サイズの０．２５倍〜１．２５倍に相当する画素数を反転区間として水平方向に反転して生成した秘匿用画像のそれぞれを正規画像１０１と合成して合成画像で確認した結果、反転区間は、正規画像１０１に含まれる最大文字サイズの０．５倍〜１．２倍に相当する画素数を反転区間として水平方向に反転した秘匿用画像、望ましくは、正規画像１０１に含まれる最大文字サイズの０．９倍〜１倍に相当する画素数を反転区間として水平方向に反転した秘匿用画像が適していることを確認した。
【００４３】
正規画像からエッジ部を検出し、検出されたエッジ部を文字の部分とみなすことで文字の最大文字サイズを決定し、最大文字サイズの０．５倍〜１．２倍に相当する画素数を反転区間として水平方向に反転した秘匿用画像を生成することで、文字認識のような複雑な演算処理を行なう必要がなく、簡単な数値比較処理で、秘匿性の高い画像を生成することができる。
【００４４】
なお、横書きの文字に対しては、反転区間を水平方向に設定し、縦書きの文字に対しては、反転区間を垂直方向に設定することが望ましい。
【００４５】
［１−３−７．生成例７］
生成例７では、反転区間が水平方向と垂直方向の２方向である例について説明する。図１１は、秘匿用画像の生成例７を説明する図である。  図１１において、秘匿用第５画像１１１は、正規画像４１を、水平方向に所定の画素数の第１反転区間で区切り、それぞれ左右反転にすると共に、垂直方向に所定の画素数の第２反転区間で区切り、それぞれ上下反転する。
【００４６】
このとき、第１反転区間および第２反転区間の画素数は、任意に決定してもよいし、最大文字サイズを検出して、それぞれ設定してもよい。また、上下および左右に反転するのではなく、第１反転区間および第２反転区間を同じ画素数に設定、すなわち、正方形の反転区間を設定し、正方形の反転区間を９０°回転、１８０°回転、または２７０°回転してもよい。
【００４７】
パソコン１１は、これらの画像を、例えば、正規画像４１、秘匿用第５画像１１１、正規画像４１、１８０°回転した秘匿用画像の順に切り替わるように、モニタ１２へ画像データを送信する。これにより、２方向の反転区間で秘匿画像を生成するので、秘匿画像は、正規画像４１の内容から大きく差異のある秘匿用画像となり、秘匿性を向上させることができる。
【００４８】
［１−４．効果］
本開示の表示秘匿システムは、画像を表示する表示部と、表示部に表示すべき画像を生成する画像生成部と、表示部に表示される画像を透過または遮断する光学素子と、を備える表示秘匿システムであって、画像生成部は、正規画像と秘匿用画像とを生成し、正規画像と秘匿用画像とが合成されるように表示部へ正規画像および秘匿用画像の画像データを送信し、光学素子は、正規画像を透過し、秘匿用画像を遮断し、秘匿用画像は、正規画像を少なくとも水平方向または垂直方向に所定の画素数に区切られた反転区間において画素の並びを反転させた画像である。さらに、画像生成部は、正規画像と秘匿用画像とが時間的に合成されるように表示部へ画像データを送信する。
【００４９】
これにより、秘匿用画像の生成は、正規画像を簡単な法則に法った方法で生成できるので、パソコン１１において、軽い負荷で処理を行うことができ、メガネを装着する使用者のみが正規画像を視認でき、メガネを装着しない他者は正規画像を視認できない表示秘匿システムを提供できる。
【００５０】
さらに、本開示の表示秘匿システムの画像生成部は、第２の秘匿用画像を生成し、第２の秘匿用画像は、秘匿用画像の表示位置を水平方向または垂直方向に所定の画像数ずらした画像であり、正規画像と秘匿用画像と第２の秘匿用画像とが合成されるように表示部へ正規画像と秘匿用画像と第２の秘匿用画像の画像データを送信し、光学素子は、正規画像を透過し、秘匿用画像および第２の秘匿用画像を遮断する。
【００５１】
これにより、正規画像が文字情報だけでなく、静止画であっても秘匿性が向上する。
【００５２】
さらに、本開示の表示秘匿システムの画像生成部は、正規画像に含まれる文字が縦書きであるか横書きであるかを検出し、横書きである場合は、正規画像を水平方向に所定の画素数に区切られた反転区間において画素の並びを反転させた画像を秘匿用画像とし、縦書きである場合は、正規画像を垂直方向に所定の画素数に区切られた反転区間において画素の並びを反転させた画像を秘匿用画像とする。
【００５３】
これにより、正規画像の文字が横書きか縦書きかを判断し、適切な秘匿用画像を生成することができ、秘匿性を向上できる。
【００５４】
さらに、本開示の表示秘匿システムにおいて、秘匿用画像は、複数の反転区間ごとに画像を入れ替えた画像である。
【００５５】
これにより、処理量を大幅に変更することなく、秘匿性を向上できる。
【００５６】
さらに、本開示の表示秘匿システムの画像生成部は、正規画像のエッジ部を検出し、エッジ部の分布に基づいて、正規画像に含まれる文字のサイズを推定し、文字のサイズに応じて反転区間の画素数を変更して秘匿用画像を生成する。
【００５７】
これにより、正規画像の文字のサイズに応じた秘匿用画像を生成でき、秘匿性を向上できる。
【００５８】
（実施の形態２）
図１２Ａ、図１２Ｂ、図１２Ｃ、図１３を用いて、実施の形態２を説明する。本実施の形態では、主に、実施の形態１との相違点について説明し、説明が重複する部分は省略する。
【００５９】
［２−１．構成］
実施の形態２における表示秘匿システムは、実施の形態１の図１で説明した構成と同じである。さらに、パソコン１１とモニタ１２との動作についても、実施の形態１の図で説明した構成と同じである。
【００６０】
［２−２．動作］
実施の形態１では、モニタ１２に表示される画像として、正規画像３１に対して秘匿用画像３２を用いて説明し、メガネを装着する使用者は正規画像３１を視認し、メガネを装着しない他者は、合成画像３３を視認し、正規画像３１の内容が分からない状態を実現した。実施の形態２においては、さらなる秘匿性向上のため、秘匿用画像３２に加え、別の画像を挿入する。
【００６１】
図１２Ａは、表示される画像とメガネ１３の状態変化を時系列に説明する模式図である。図１２Ｂは、メガネを装着する使用者の視認する画像の一例を示す図であり、図１２Ｃは、メガネを装着しない他者の視認する画像の一例を示す図である。
【００６２】
モニタ１２には、本来表示したい画像である正規画像３１と正規画像を秘匿するための秘匿用画像３２とパターン画像１２１とが、時間経過とともに順に表示される。パターン画像１２１は、特定の周波数成分を持つ模様で構成される画像である。具体的には、モニタ１２が２４０Ｈｚで駆動する液晶パネル２７を有する場合、パソコン１１は、正規画像３１と秘匿用画像３２とパターン画像１２１を、２４０Ｈｚの間隔で切り替わるように、モニタ１２へ画像データを送信する。具体的には、正規画像３１の輝度が低下しないように、正規画像３１を２４０Ｈｚの間隔を２つ分、すなわち、１２０Ｈｚの間隔で表示し、秘匿用画像３２を２４０Ｈｚの間隔、パターン画像１２１を２４０Ｈｚの間隔で表示するように替える。表示する順は、正規画像３１、秘匿用画像３２、正規画像３１、パターン画像１２１の順でもよい。
【００６３】
同様に、パソコン１１は、メガネ１３も２４０Ｈｚで透過状態と遮断状態の２つの状態に切り替わるように、メガネ１３へ制御信号を送信する。パソコン１１は、モニタ１２に正規画像３１が表示されるときに、メガネ１３が透過状態となるように、モニタ１２に秘匿用画像３２またはパターン画像１２１が表示されるときに、メガネ１３が遮断状態となるように、モニタ１２およびメガネ１３を制御する。
【００６４】
メガネ１３を装着する使用者は、メガネ１３が透過状態のとき、メガネ１３を通して正規画像３１を視認する。そして、メガネ１３が遮断状態のとき、秘匿用画像３２およびパターン画像１２１は、メガネ１３により遮断され、使用者に視認されない。図１２Ｂに示すようにメガネ１３を装着する使用者は、モニタ１２に表示される画像のうち、正規画像３１のみ視認できる。
【００６５】
一方、メガネ１３を装着しない他者は、正規画像３１、秘匿用画像３２およびパターン画像１２１の全てを視認する。正規画像３１、秘匿用画像３２およびパターン画像１２１は２４０Ｈｚで切り替わっているので、図１２Ｃに示すように、メガネ１３を装着しない他者は、残像効果により正規画像３１、秘匿用画像３２とパターン画像１２１の画像が時間的に合成された合成画像１２２を視認する。合成画像１２２は、正規画像３１の内容が判別できないので、メガネ１３を装着する使用者のみが正規画像３１を視認し、メガネを装着しない他者には、正規画像３１の内容が分からない状態を実現できる。実施の形態１の合成画像３３と比べて特定の周波数成分を持つ画像が重畳されるので、より秘匿性を向上させることができる。
【００６６】
［２−３．パターン画像の生成例］
ここで、パターン画像１２１について説明する。パターン画像１２１は、特定の周波数成分を持つ模様で構成される画像である。ここでの周波数とは、画像の水平方向または垂直方向において、模様の繰り返しの周波数を意味する。文字は、特定の画素数により実現される。よって、模様の繰り返しの周波数として、文字の特定の画素数と近い繰り返しになるように周波数を決定すれば、合成画像１２２における秘匿性を確実に向上させることができる。
【００６７】
［２−３−１．生成例１］
パターン画像は、モニタ１２全体で一様な模様でなくてもよい。一様な模様でないパターン画像の例を説明する。
【００６８】
図１３は、パターン画像の生成例を示す図である。図１３において、正規画像４１からエッジ部を検出する。検出したエッジ部から正規画像４１に含まれる文字の空間周波数を算出する。文字の空間周波数を正確に算出すると、処理量が増大してしまうため、日本語の漢字等を含む、空間周波数が高い領域、英数字や日本語のカタカナを含む空間周波数が低い領域および空白や枠線のみの空間周波数が極めて低い領域の３段階で検出する。例えば、図１３の正規画像４１において、領域１３１、１３３、１３４、１３５は空間周波数が低い領域、領域１３２は空間周波数が高い領域、領域１３６は空間周波数が極めて低い領域となる。
【００６９】
空間周波数の高低に応じて、用いるパターンを変える。具体的には、領域１３１、１３３、１３４、１３５に相当する位置には空間周波数の低い第１パターン１３７、領域１３２に相当する位置には空間周波数の高い第２パターン１３８が配置され、領域１３６に相当する位置には空間周波数の極めて低い第３パターン１３９が配置される、パターン第１画像１３１０を生成する。これにより、秘匿性が向上する。
【００７０】
なお、空間周波数が極めて低い領域１３６には、模様が無くてもよい。
【００７１】
［２−４．効果］
本開示の表示秘匿システムの画像生成部は、特定の周波数成分を有する模様を含むパターン画像をさらに生成し、正規画像と前記秘匿用画像とパターン画像とが時間的に合成されるように、表示部へ正規画像、秘匿用画像および前記パターン画像の画像データを送信する。また、本開示の秘匿表示システムの画像生成部は、正規画像のエッジ部を検出し、エッジ部の分布に基づいて、正規画像に含まれる文字を有する領域の周波数に応じて模様の周波数成分を変更してパターン画像を生成する。
【００７２】
これにより、メガネを装着しない他者は、実施の形態１よりもさらに複雑な合成画像を視認することになるので、正規画像の秘匿性を確実に向上させることができる。
【００７３】
（実施の形態３）
次に、図１４、１５を用いて、実施の形態３を説明する。
【００７４】
［３−１．構成］
実施の形態１、２においては、フレームシーケンシャル方式で、正規画像と秘匿用画像を時間的に合成することで正規画像の秘匿性を向上させる例を説明した。本実施の形態では、正規画像と秘匿用画像を空間的に合成する例について説明する。
【００７５】
図１４は、実施の形態３における表示秘匿システムの構成図である。
【００７６】
表示秘匿システム１４０は、パソコン１４１、モニタ１４２とメガネ１４３で構成される。パソコン１４１は、モニタ１４２へ、画像を表示する。メガネ１４３を装着する使用者は、メガネ１４３を通してモニタ１４２に表示された画像を視認する。メガネ１４３を装着しない他者は、メガネ１４３を通さずに直接、モニタ１４２に表示された画像を視認する。
【００７７】
パソコン１４１とモニタ１４２との動作について図１５を用いて説明する。図１５は、本実施の形態におけるパソコンとモニタの動作関係を示す模式図である。
【００７８】
パソコン１４１ではＯＳが稼働しており、ＯＳレイヤとして、アプリケーション１５１、ミドル１５２およびドライバ１５３で構成されている。アプリケーション１５１は、使用者が使用するソフトウエアの機能を提供する。ミドル１５２は、アプリケーション１５１が必要とする画像処理などをバックグラウンドで処理する。ドライバ１５３は、ミドル１５２が処理した内容をパソコン１４１の図示しないハードウェアへ送る。
【００７９】
Ｉ／Ｆ回路１５４は、ドライバ１５３が出力したデータをモニタ１４２に送信し、そのデータはモニタ１４２のＩ／Ｆ回路１５５が受信する。Ｉ／Ｆ回路１５４とＩ／Ｆ回路１５５との間のデータ授受には、映像・音声をデジタル信号で伝送する通信インターフェースであるＨＤＭＩ（登録商標）やコンピュータとディスプレイを接続するためのインターフェースであるＤＶＩなどのデジタル伝送規格が用いられる。
【００８０】
モニタ１４２では、Ｉ／Ｆ回路１５５が受信したデータは、パネルドライバ１５６に送信され、表示動作を行うように、垂直方向の走査信号と水平方向の走査信号とに分離される。走査信号に基づいて液晶パネル１５７が駆動されることにより、液晶パネル１５７にパソコン１４１からの画像が表示される。
【００８１】
液晶パネル１５７は、表示ラインごとに、正規画像３１と秘匿用画像３２とを切り替えて同時に表示できるように構成される。具体的には、図１４に示すように、液晶パネル１５７の表面の、奇数ラインに相当する位置には、入射した光を第１の偏光方向へ変換する偏光変換フィルム１４５が形成され、偶数ラインに相当する位置には、入射した光を第２の偏光方向へ変換する偏光変換フィルム１４６が形成される。パソコン１４１は、液晶パネル１５７の奇数ラインに正規画像３１が表示されるように、かつ、偶数ラインに秘匿用画像３２が表示されるように、モニタ１４２へ両画像の画像データを送信する。
【００８２】
メガネ１４３は、第１の偏光方向を透過するフィルムが、両眼に形成されている。
【００８３】
メガネ１４３を装着する使用者は、正規画像３１のみ視認することができる。一方、メガネ１４３を装着しない他者は、正規画像３１と秘匿用画像３２の両方を視認する。そのため、正規画像３１の内容が判別できない。
【００８４】
ここで、表示秘匿システム１４０において、パソコン１４１は画像生成部、モニタ１４２は表示部およびメガネ１４３は光学素子に相当する。
【００８５】
［３−２．合成画像］
図１６は、実施の形態３におけるメガネ１４３を装着する使用者が視認する合成画像の一例とメガネ１４３を装着しない他者が視認する合成画像の一例を示す図である。図１６において、液晶パネル１５７の奇数ラインに正規画像３１を、偶数ラインに秘匿用画像３２が表示される。合成画像１６１は、メガネ１４３を装着した使用者が、視認する画像である。
【００８６】
奇数ラインの正規画像３１は、液晶パネル１５７の表面に形成された偏光変換フィルム１４５によって、第１の偏光方向を有する光へ変換され、メガネ１４３を透過する。一方、偶数ラインの秘匿用画像３２は、液晶パネル１５７の表面に形成された偏光変換フィルム１４６によって、第１の偏光方向とは異なる第２の偏光方向を有する光へ変換されるため、メガネ１４３で遮断される。従って、メガネ１４３を通すと、偶数ラインが暗い線となる合成画像１６１が視認される。しかし、合成画像１６１は、１つの偶数ラインの１画素分の線は、通常のモニタサイズに対し極めて細いので、全体的に暗い、全て表示された場合に比べて５０％の輝度の、画像として視認される。
【００８７】
これに対し、メガネを装着しない他者は、奇数ラインに正規画像３１、偶数ラインに秘匿用画像３２が表示された合成画像を視認する。正規画像３１と秘匿用画像３２とが、１画素ラインごとに交互に表示された合成画像は、メガネを装着しない他者にとって、時間的に合成された合成画像３３と同等の画像として視認される。
【００８８】
以上のように、偏光方向を利用して、正規画像３１と秘匿用画像３２とを空間的に合成した場合でも、フレームシーケンシャル方式により時間的に合成した場合と同様に、正規画像を秘匿することができる。
【００８９】
ここで、２つの偏光変換フィルム１４５、１４６は、上述のように水平走査ラインごと、すなわち１画素分ごとに配置されてもいいし、水平走査ラインの複数画素分ごとに配置されてもよい。また、第１の偏光方向と第２の偏光方向とは、回り方向の異なる円偏光であってもよく、直交する直線偏光であってもよい。
【００９０】
また、メガネ１４３として、特定の偏光方向の光を透過する偏光フィルムが形成された例で説明したが、液晶シャッタで構成された光学デバイスでも実現できる。偏光方向は、秘匿用画像３２が表示される画素において、モニタとメガネとで秘匿用画像３２の光が遮断されるように構成されていればよく、上記の構成に限定されない。
【００９１】
さらに、秘匿用画像は、実施の形態１で説明した生成例１から生成例７のいずれの秘匿用画像を用いてもよい。
【００９２】
［３−３．効果］
本開示の表示秘匿システムの画像生成部は、正規画像と秘匿用画像とが空間的に合成されるように表示部へ画像データを送信する。
【００９３】
これにより、走査ラインごとに正規画像と秘匿用画像とを配置すると、走査ラインごとに相関のない画素が配置されることになり、メガネを装着しない他者は、正規画像を視認できない。
【００９４】
さらに、実施の形態１、２において、モニタに正規画像が表示されているタイミングでカメラ撮影した場合、正規画像のみが撮影される可能性がある。本開示においては、本実施の形態において、モニタをどのタイミングで撮影しても、視認できない画像が撮影される。したがって、正規画像が盗撮されるリスクを低減できる。
【００９５】
（他の実施の形態）
以上のように、本開示の表示秘匿システムとして、実施の形態１〜３を説明した。しかしながら、本開示は、これらに限定されず、変更、置き換え、付加、省略などを行った実施の形態にも適用できる。また、実施の形態１〜３で説明した構成要素を組み合わせて、新たな実施の形態とすることも可能である。
【００９６】
そこで、以下、他の実施の形態を例示する。
【００９７】
（Ａ）上述の実施の形態２において、秘匿用画像に加えてパターン画像を用いたが、実施の形態２で説明した、空間周波数の高低に応じて、用いるパターンを変えて生成したパターン画像を秘匿用画像として用いてもよい。
【００９８】
（Ｂ）実施の形態１において、秘匿用画像の生成を個別に説明したが、複数の秘匿用画像の生成例を組み合わせてもよい。
【００９９】
（Ｃ）上述の実施の形態において、パソコンとモニタとを別の装置として説明したが、一体であってもよい。
【０１００】
（Ｄ）上述の実施の形態において、光学素子としてメガネを一例として説明したが、正規画像と秘匿用画像とを光学的に分離できればよく、メガネに限定されるものではない。例えば、モニタと使用者の眼との間に間挿されるシートでもよい。
【産業上の利用可能性】
【０１０１】
本開示は、使用者にとって有用な画像を他者から秘匿する表示秘匿システムに関し、公共の場でセキュリティが求められる表示を行うシステム、具体的には、秘密情報を扱うノート型パソコン、ＡＴＭのような暗証番号を画面入力する機器などに、適用可能である。
【符号の説明】
【０１０２】
１０、１４０  表示秘匿システム
１１、１４１  パソコン
１２、１４２  モニタ
１３、１４３  メガネ
２１、１５１  アプリケーション
２２、１５２  ミドル
２３、１５３  ドライバ
２４、２５、１５４、１５５  Ｉ／Ｆ回路
２６、１５６  パネルドライバ
２７、１５７  液晶パネル
３１、４１、６１、１０１  正規画像
３２、４２、６２  秘匿用画像
３３、４３、６３、１０２、１０３、１２２、１６１  合成画像
５１  秘匿用第１画像
５２  秘匿用第２画像
７１  秘匿用第３画像
８１  秘匿用第４画像
９１  エッジ部
１１１  秘匿用第５画像
１２１  パターン画像
１３１、１３２、１３３、１３４、１３５、１３６  領域
１３７  第１パターン
１３８  第２パターン
１３９  第３パターン
１３１０  パターン第１画像
１４５、１４６  偏光変換フィルム
【図１】
2015187700.tif 000003
【図２】
2015187700.tif 000004
【図３Ａ】
2015187700.tif 000005
【図３Ｂ】
2015187700.tif 000006
【図３Ｃ】
2015187700.tif 000007
【図４Ａ】
2015187700.tif 000008
【図４Ｂ】
2015187700.tif 000009
【図４Ｃ】
2015187700.tif 000010
【図５】
2015187700.tif 000011
【図６】
2015187700.tif 000012
【図７】
2015187700.tif 000013
【図８】
2015187700.tif 000014
【図９】
2015187700.tif 000015
【図１０】
2015187700.tif 000016
【図１１】
2015187700.tif 000017
【図１２Ａ】
2015187700.tif 000018
【図１２Ｂ】
2015187700.tif 000019
【図１２Ｃ】
2015187700.tif 000020
【図１３】
2015187700.tif 000021
【図１４】
2015187700.tif 000022
【図１５】
2015187700.tif 000023
【図１６】
2015187700.tif 000024